(57)【特許請求の範囲】
【請求項１】
ディスプレイデバイス上でビデオコンテンツをレンダリングする方法であって、
前記ディスプレイデバイス上で視覚コンテンツを表示するために指定されたいくつかの面のうちの１つの面中で前記ビデオコンテンツをレンダリングし、一方、前記ビデオコンテンツから抽出された少なくとも１つの画像を、前記面のうちの少なくとも１つの別の面中でレンダリングすること（Ｓ１０１）、
前記少なくとも１つの画像が前記ビデオコンテンツから抽出された位置に対応する時点に前記ビデオコンテンツが達したときに、前記面のうちの前記別の面中で前記ビデオコンテンツをレンダリングし、それにより前記少なくとも１つの画像を置き換えること（Ｓ１０２）、および、
前記ビデオコンテンツが別の面中でレンダリングされる前にレンダリングされた前記面中で、前記ビデオコンテンツが前記別の面中でレンダリングされるときに達する前記時点に対応する前記位置で前記ビデオコンテンツから抽出された前記画像に外観が類似する画像をレンダリングすること、
を含む方法。
【請求項２】
前記ビデオコンテンツから抽出された少なくとも１つの画像を前記面のうちの少なくとも１つの別の面中でレンダリングするステップがさらに、
前記ビデオコンテンツから抽出された複数の画像をレンダリングすることを含み、前記複数の画像のうちの各画像が前記面のうちのそれぞれの面中でレンダリングされ、
前記複数の画像のうちのいずれか１つが前記ビデオコンテンツから抽出された位置に対応する時点に前記ビデオコンテンツが達したとき、前記ビデオコンテンツが、前記時点に対応する前記位置で抽出されている前記複数の画像のうちの前記１つの画像の面中でレンダリングされる、請求項１に記載の方法。
【請求項３】
前記ビデオコンテンツが別の面中でレンダリングされる前にレンダリングされた前記面中で、前記ビデオコンテンツが前記別の面中でレンダリングされるときに達する前記時点に対応する前記位置で前記ビデオコンテンツから抽出された前記画像をレンダリングすることをさらに含む、請求項１または２に記載の方法。
【請求項４】
前記ビデオコンテンツが別の面中でレンダリングされる前にレンダリングされた前記面中で、前記ビデオコンテンツが前記別の面中でレンダリングされるときに達する前記時点に対して次の後続位置で前記ビデオコンテンツから抽出された画像をレンダリングすることをさらに含む、請求項１または２に記載の方法。
【請求項５】
前記別の面中でレンダリングされる前記ビデオコンテンツが、前記ビデオコンテンツによって置き換えられる前に前記別の面中でレンダリングされた前記画像と比較して次の後続時点に対応する位置から開始する、請求項１から４のいずれか一項に記載の方法。
【請求項６】
前記ディスプレイデバイス上で視覚コンテンツを表示するために指定された前記いくつかの面のうちの最後の面中で、前記ビデオコンテンツの最後の位置のうちの１つから抽出された画像をレンダリングすることをさらに含む、請求項１から５のいずれか一項に記載の方法。
【請求項７】
ディスプレイ上でビデオコンテンツをレンダリングするように構成されたデバイス（２０、４０）であって、処理ユニット（４１）およびメモリ（４２）を備え、前記メモリが、前記処理ユニットによって実行可能な命令（４３）を含み、それにより前記デバイスが、
前記ディスプレイ上で視覚コンテンツを表示するために指定されたいくつかの面のうちの１つの面（３０）中で前記ビデオコンテンツをレンダリングし、一方、前記ビデオコンテンツから抽出された少なくとも１つの画像を、前記面のうちの少なくとも１つの別の面（３１）中でレンダリングすること、
前記少なくとも１つの画像が前記ビデオコンテンツから抽出された位置に対応する時点（ｔ４）に前記ビデオコンテンツが達したときに、前記面のうちの前記別の面（３１）中で前記ビデオコンテンツをレンダリングし、それにより前記少なくとも１つの画像を置き換えること、および、
前記ビデオコンテンツが別の面（３１）中でレンダリングされる前にレンダリングされた前記面（３０）中で、前記ビデオコンテンツが前記別の面（３１）中でレンダリングされるときに達する前記時点（ｔ４）に対応する前記位置で前記ビデオコンテンツから抽出された前記画像に外観が類似する画像をレンダリングすること、
を行うように動作する、デバイス（２０、４０）。
【請求項８】
前記ビデオコンテンツから抽出された複数の画像をレンダリングするようにさらに動作し、前記複数の画像のうちの各画像が前記面のうちのそれぞれの面（３１、３２）中でレンダリングされ、
前記複数の画像のうちのいずれか１つが前記ビデオコンテンツから抽出された位置に対応する時点（ｔ４、ｔ８）に前記ビデオコンテンツが達したとき、前記ビデオコンテンツが、前記時点（ｔ４、ｔ８）に対応する前記位置で抽出されている前記複数の画像のうちの前記１つの画像の面（３１、３２）中でレンダリングされる、請求項７に記載のデバイス（２０、４０）。
【請求項９】
前記ビデオコンテンツが別の面（３１）中でレンダリングされる前にレンダリングされた前記面（３０）中で、前記ビデオコンテンツが前記別の面（３１）中でレンダリングされるときに達する前記時点（ｔ４）に対応する前記位置で前記ビデオコンテンツから抽出された前記画像をレンダリングするようにさらに動作する、請求項７または８に記載のデバイス（２０、４０）。
【請求項１０】
前記ビデオコンテンツが別の面（３１）中でレンダリングされる前にレンダリングされた前記面（３０）中で、前記ビデオコンテンツが前記別の面（３１）中でレンダリングされるときに達する前記時点（ｔ４）に対して次の後続位置（ｔ５）で前記ビデオコンテンツから抽出された画像をレンダリングするようにさらに動作する、請求項７または８に記載のデバイス（２０、４０）。
【請求項１１】
前記別の面（３１）中でレンダリングされる前記ビデオコンテンツが、前記ビデオコンテンツによって置き換えられる前に前記別の面（３１）中でレンダリングされた前記画像と比較して次の後続時点（ｔ５）に対応する位置から開始する、請求項７から１０のいずれか一項に記載のデバイス（２０、４０）。
【請求項１２】
前記デバイス上で視覚コンテンツを表示するために指定された前記いくつかの面のうちの最後の面（３２）中で、前記ビデオコンテンツの最後の位置のうちの１つから抽出された画像をレンダリングするようにさらに動作する、請求項７または１１のいずれか一項に記載のデバイス（２０、４０）。
【請求項１３】
コンピュータ実行可能命令を含むコンピュータプログラム（４３）であって、前記コンピュータ実行可能命令が、デバイス（２０、４０）に備わる処理ユニット（４１）上で実行されたときに、請求項１から６のいずれか一項に記載のステップを前記デバイスに実施させるためのものである、コンピュータプログラム（４３）。
【請求項１４】
コンピュータ可読媒体（４２）を備えるコンピュータプログラム製品であって、請求項１３に記載のコンピュータプログラム（４３）が前記コンピュータ可読媒体に含まれる、コンピュータプログラム製品。
【発明の詳細な説明】
【技術分野】
【０００１】
本発明は、ディスプレイ上でビデオコンテンツをレンダリングするための方法およびデバイスに関する。
【背景技術】
【０００２】
テレビジョン（ＴＶ）セット、コンピュータ、スマートフォン、タブレット、広告掲示版などのディスプレイデバイス上でビデオコンテンツを再生またはレンダリングするための技術が長く知られており、この技術は、リソースを信号伝送および視覚化に向けて効果的に利用するための新しいディジタル技術によって、着実に進化しつつある。表示されるビデオコンテンツは、テレビジョン放送、映画、広告材料、Ｙｏｕｔｕｂｅカットなどの形である場合がある。
【０００３】
例えば、今日の比較的小さいリソース制約では、ビデオコンテンツの表示は種々の機器上で素早く開始することができ、いくつかの機器は、どんな邪魔なアーチファクトの発生もなしに、表示されたビデオコンテンツをディスプレイデバイス全体にわたってユーザが移動させることすら可能にする。
【０００４】
上に論じたようにビデオコンテンツを表示することに伴う問題は、ビデオコンテンツのフォーマットが、ディスプレイデバイス上で視覚コンテンツを表示するために指定された面のフォーマットと、しばしば異なることである。例えば、コンピュータ画面上でレンダリングされることになるビデオコンテンツは、１６：９（１．７８：１）、すなわち幅１６ユニットおよび高さ９ユニットのアスペクト比を有することがあるが、ビデオコンテンツが表示されることになるコンピュータ画面のエリアは、６：１のアスペクト比を見込む。したがって、１６：９ビデオコンテンツが、その比率が維持された状態でコンピュータ画面の６：１エリア上で表示される場合、１６：９ビデオコンテンツの比率とコンピュータ画面の６：１エリアの比率とが異なるせいで、表示された１６：９ビデオコンテンツの各側に、利用されない大きいセクションがあることになる。反対に、１６：９ビデオコンテンツが、コンピュータ画面の６：１エリアの幅全体を利用するように適合された場合、１６：９フォーマットのビデオコンテンツの大きい部分がエリア外にあることになり、したがってこの部分は見えない。
【発明の概要】
【０００５】
本発明の目的は、当技術分野におけるこの問題を解決するかまたは少なくとも軽減することであり、ディスプレイデバイスの利用可能な視聴エリアをよりよく活用するようにディスプレイデバイス上でビデオコンテンツをレンダリングするための改善された方法およびデバイスを提供することである。
【０００６】
この目的は、本発明の第１の態様により、ディスプレイデバイス上でビデオコンテンツをレンダリングする方法によって解決される。この方法は、ディスプレイデバイス上で視覚コンテンツを表示するために指定されたいくつかの面のうちの１つの面中でビデオコンテンツをレンダリングし、一方、ビデオコンテンツから抽出された少なくとも１つの画像を、面のうちの少なくとも１つの別の面中でレンダリングすることを含む。方法はさらに、少なくとも１つの画像がビデオコンテンツから抽出された時点にビデオコンテンツが達したときに、面のうちの上記の別の面中でビデオコンテンツをレンダリングし、それにより少なくとも１つの画像を置き換えることを含む。
【０００７】
この目的は、本発明の第２の態様により、ディスプレイ上でビデオコンテンツをレンダリングするように構成されたデバイスによって解決される。このデバイスは処理ユニットおよびメモリを備え、このメモリは、処理ユニットによって実行可能な命令を含む。それにより、デバイスは、ディスプレイ上で視覚コンテンツを表示するために指定されたいくつかの面のうちの１つの面中でビデオコンテンツをレンダリングし、一方、ビデオコンテンツから抽出された少なくとも１つの画像を、面のうちの少なくとも１つの別の面中でレンダリングすること、および、上記の少なくとも１つの画像がビデオコンテンツから抽出された位置に対応する時点にビデオコンテンツが達したときに、面のうちの上記の別の面中でビデオコンテンツをレンダリングし、それにより上記の少なくとも１つの画像を置き換えること、を行うように動作する。
【０００８】
したがって、ディスプレイデバイス上で視覚コンテンツを表示するために指定されたいくつかの面のうちの第１の面中で、ビデオコンテンツがレンダリングされ、一方、ビデオコンテンツから抽出された少なくとも１つの画像が、面のうちの第２の面中でレンダリングされる。ビデオコンテンツは、第２の面の画像がビデオコンテンツから抽出された位置に対応する時点に達するまで、第１の面中で再生することになる。達した時点で、ビデオコンテンツは有利にも、ディスプレイデバイスの第１の面から第２の面に「移動される」ことになり、ビデオコンテンツは、第２の面中でレンダリングされ、したがって、この時点まで第２の面中でレンダリングされていた画像に取って代わることになる。
【０００９】
有利にも、レンダリングされたビデオコンテンツは、再生を終了するまで、ビデオ表示に指定された面にわたって移動されることになり、その結果、ディスプレイデバイスの利用可能な視聴エリアがよりよく利用される。さらに、ビデオコンテンツから抽出された少なくとも１つの画像を有する面が配置され、画像がビデオコンテンツから抽出された位置に対応する時点にビデオコンテンツのレンダリングが達したときにビデオコンテンツが移動されてこの画像に取って代わるが、このように面を配置することによって、シームレスで滑らかな移行が、有利にも行われることになる。面の配置は、実際には、ディスプレイデバイスの利用可能な視聴エリアの寸法に応じて任意の形をとることができ有利である。
【００１０】
本発明の一実施形態では、ビデオコンテンツから抽出された複数の画像が、それぞれの面中で１つずつ、使用されることになる。ビデオコンテンツは、面のうちの１つの面中でレンダリングされることになり、レンダリングされた複数の画像のうちの１つがビデオコンテンツから抽出された位置に対応する時点にビデオコンテンツが達したとき、ビデオコンテンツは、対応する画像を含む面に移動され、そこでレンダリングされることになる。この場合、ビデオコンテンツは、レンダリングされた複数の画像のうちの別の画像がビデオコンテンツから抽出された位置に対応する時点に達するまで、レンダリングされることになる。再び、ビデオコンテンツは移動されることになるが、今度は、画像のうちの上記の別の画像を含む面に移動され、この面中でこの画像に取って代わることになる。これが、ビデオコンテンツがすべての利用可能な面中でレンダリングされ終わるまで、またはビデオコンテンツが再生を終えるまで、継続することになる。終えた瞬間、ビデオコンテンツは通常、最初にレンダリングされた第１の面中で再び最初から開始する（または、新しいビデオコンテンツが同様にしてレンダリングされる）。有利にもこれは、ディスプレイデバイスの利用可能な視聴エリアの非常に効果的な利用をもたらし、面は、ディスプレイデバイスの利用可能な視聴エリアを最もよく活用するように、適切な方式で配置されることが可能である。
【００１１】
一般に、特許請求の範囲において使用されるすべての用語は、本明細書に明示的な別段の定義がない限り、技術分野におけるこれらの用語の通常の意味に従って解釈されるべきである。「要素、装置、コンポーネント、手段、ステップなど」へのすべての言及は、明示的な別段の記述がない限り、要素、装置、コンポーネント、手段、ステップなどの、少なくとも１つのインスタンスに言及するものとしてオープンに解釈されるべきである。本明細書で開示される任意の方法のステップは、明示的な記述がない限り、開示される厳密な順序で実施される必要はない。
【００１２】
次に、添付の図面を参照しながら、本発明について例として述べる。
【図面の簡単な説明】
【００１３】
【図１】本発明の一実施形態による、いくつかの画像が抽出され得る、ディスプレイデバイス上でレンダリングされることになるビデオコンテンツを示す図である。
【図２】特定の視覚コンテンツを表示するために指定されたエリアを有する従来技術ディスプレイデバイスを示す図である。
【図３ａ】本発明の一実施形態による、ビデオコンテンツをレンダリングする方法のフローチャートである。
【図３ｂ】図２のディスプレイデバイスの指定された表示エリアであって、ただし図３ａの実施形態によるビデオコンテンツをレンダリングする方法が実装される表示エリアを示す図である。
【図４】本発明による、ビデオコンテンツをレンダリングする方法のさらに他の実施形態を示す図である。
【図５】ビデオコンテンツおよび画像がレンダリングされる面の代替配置を示す図である。
【図６】ディスプレイデバイス上でコンテンツをレンダリングする方法を実施するための、本発明の一実施形態によるデバイスを示す図である。
【図７】ディスプレイデバイス上でコンテンツをレンダリングする方法を実施するための、本発明のさらに他の実施形態によるデバイスを示す図である。
【発明を実施するための形態】
【００１４】
次に、本発明のいくつかの実施形態が示される添付の図面を参照しながら、以下で本発明についてより完全に述べる。しかし、本発明は、多くの異なる形で具体化されることが可能であり、本明細書に記載の実施形態に限定されると解釈されるべきではない。そうではなく、これらの実施形態は、本開示が十分かつ完全なものとなり本発明の範囲を当業者に完全に伝えるものとなるように、例として提供される。本記述の全体を通して、同じ番号は同じ要素を指す。
【００１５】
図１は、本発明の一実施形態による、ディスプレイデバイス上でレンダリングされることになる、ビデオコンテンツから抽出された画像を示す。図１は、異なる時間位置ｔ１〜ｔ１２に位置する任意数の画像１〜１２がビデオコンテンツから抽出され得る、ビデオコンテンツを示す。
【００１６】
図２は、ディスプレイデバイス２０上で特定の視覚コンテンツを表示するために指定されたエリア２１を伴って構成された、コンピュータ画面などの従来技術ディスプレイデバイス２０を示す。ここで、このようなエリア２１中では、エリア２１の寸法のせいで、ビデオコンテンツを適合させるのが困難である。この特定の説明的な例では、指定された表示エリア２１中でビデオコンテンツ２２を表示したいコンテンツプロバイダは、図２に示されるようにビデオコンテンツ２２をレンダリングすることになり、それにより、表示エリア２１を非効果的に使用することになる。
【００１７】
図３ａは、本発明の一実施形態による、ビデオコンテンツをレンダリングする方法のフローチャートを示す。この例示的な実施形態は、ビデオコンテンツが表示される３つの面を実装することに留意されたい。しかし、表示エリア２１のより効率的な使用は、有利にも、ビデオコンテンツを２つの面中で表示するときにもすでに得られることが理解される。
【００１８】
図３ｂは、図２のディスプレイデバイス２０の指定された表示エリア２１であって、ただし図３ａの実施形態によるビデオコンテンツをレンダリングする方法が実装される表示エリア２１を示す。
【００１９】
ここで、第１のステップＳ１０１で、ｔ１からｔ４の範囲にわたるビデオコンテンツが、ディスプレイデバイス２０上で視覚コンテンツを表示するために指定されたエリア２１の第１の面３０中でレンダリングされ、一方、ビデオコンテンツから抽出された少なくとも１つの画像が、面のうちの別の面中でレンダリングされる。この特定の実施形態では、第１の画像４が第２の面３１中でレンダリングされ、一方、第２の画像８が第３の面３２中でレンダリングされる。
【００２０】
ステップＳ１０２で、第１の面３０中でレンダリングされたビデオコンテンツが、第２の面３１中の第１の画像４がビデオコンテンツから抽出された位置に対応する時点ｔ４に達したとき、ビデオコンテンツは、代わりに第２の面３１中でレンダリングされる。したがって、ビデオコンテンツは、この時点ｔ４まで第２の面３１中でレンダリングされていた第１の画像４に、取って代わることになる。前述のように、２つの面３０、３１を使用することは、有利にも、ディスプレイデバイス２０の表示エリア２１をよりよく活用することになる。
【００２１】
第３のステップＳ１０３で、第２の面３１中でレンダリングされたビデオコンテンツが、第３の面３２中の第２の画像８がビデオコンテンツから抽出された位置に対応する時点ｔ８に達したとき、ビデオコンテンツは、第３の面３２中でレンダリングされる。ビデオコンテンツは、第２の画像８が最初にビデオコンテンツから抽出された時点ｔ８まで第３の面３２中でレンダリングされていた第２の画像８に、取って代わることになる。
【００２２】
有利にも、レンダリングされたビデオコンテンツは、再生を終了する（この特定の例ではｔ１２で）まで、ビデオ表示のために指定された３つの面３０、３１、３２にわたって移動されることになり、その結果、ディスプレイデバイス２０の利用可能な視聴エリア２１がよりよく利用される。図３ｂで見られるように、ビデオコンテンツが３つの面３０、３１、３２にわたって移動するようにすることによって、視聴エリア２１の全体が有利にも利用される。さらに、ビデオコンテンツから抽出されたそれぞれの画像４、８を有する面３１、３２が配置され、画像４、８がビデオコンテンツから抽出された位置に対応する時点ｔ４、ｔ８にビデオコンテンツのレンダリングが達したときにビデオコンテンツが移動されて、画像４、８に取って代わり、画像４、８と「ブレンド」するが、このように面を配置することによって、シームレスで滑らかな移行が、有利にも行われることになる。
【００２３】
したがって、例えば１６：９ビデオコンテンツが６：１視聴エリア中でレンダリングされる場合、３つの面３０、３１、３２（これらの面にわたってビデオコンテンツが移動されることになる）は、ほぼ完全に６：１エリアを満たし、未使用の視聴空間は小さいセクションしか残らないことになる。
【００２４】
図４は、本発明による、ビデオコンテンツをレンダリングする方法のさらに他の実施形態を示す。ステップＳ１０２で、第１の面３０中でレンダリングされたビデオコンテンツが、第２の面３１中の第１の画像４がビデオコンテンツから抽出された位置に対応する時点ｔ４に達したとき、ビデオコンテンツは、代わりに第２の面３１中でレンダリングされる。したがって、ビデオコンテンツは、この時点ｔ４まで第２の面３１中でレンダリングされていた第１の画像４に、取って代わることになる。しかし、この実施形態では、第１の画像４（すなわち、コンテンツが実行時間ｔ４に達しつつあるときにビデオコンテンツから抽出されたことになる画像）は、第１の面３０中でレンダリングされることになる。
【００２５】
これに対応して、ステップＳ１０３で、第２の面３１中でレンダリングされたビデオコンテンツが、第３の面３２中の第２の画像８がビデオコンテンツから抽出された位置に対応する時点ｔ８に達したとき、ビデオコンテンツは第３の面３２中でレンダリングされる。ビデオコンテンツは、第２の画像８が最初にビデオコンテンツから抽出された時点ｔ８まで第３の面３２中でレンダリングされていた第２の画像８に、取って代わることになり、第２の画像８は、第２の面３１中でレンダリングされることになる。有利にも、これは、３つの面３０、３１、３２中でレンダリングされているビデオコンテンツのさらに滑らかな移行をもたらすことになる。
【００２６】
ステップＳ１０２で第１の面３０中で示されるのは、必ずしも、ビデオコンテンツから抽出された最後の画像４であるとは限らず（または、これに対応して、ステップＳ１０３で第２の面３１中で示されるのは、最後の画像８であるとは限らず）、それぞれの最後の画像４、８に外観が類似する画像であってもよいことに留意されたい。一実施形態では、代わりにレンダリングされるのは、それぞれの後続画像５および９であってもよく、または、ビデオコンテンツが後続の面中の画像に取って代わる時点で発生するビデオコンテンツの画像の位置から過度に隔たっていない、ビデオコンテンツから抽出された任意の画像であってもよい。
【００２７】
例えば、ビデオコンテンツが後続の面中の画像に取って代わる時点から０．５秒まで隔たった（任意の方向に）時点に対応する位置の画像が、ビデオコンテンツから抽出されてよい。さらに、この画像が、例えばテキスト情報の形で追加情報を含むことを想定することもできる。
【００２８】
本発明のさらに他の実施形態では、ビデオコンテンツの最後の位置のうちの１つから抽出された画像、例えば図４の例では画像１１または１２が、ディスプレイデバイス上で視覚コンテンツを表示するために指定されたいくつかの面３０、３１、３２のうちの最後の面３２中でレンダリングされ、最後の面３２中では、ビデオコンテンツが表示されることはない。
【００２９】
図５は、ビデオコンテンツおよび画像がレンダリングされる面の代替配置を示す。前述のように、ディスプレイデバイスの利用可能な視聴エリアの寸法に応じて、面を配置する多くの方法を想定することができる。図５の代替配置では、図３および４に関して述べたような３つの面ではなく、４つの面が使用される。
【００３０】
第１のステップＳ１０１で、ｔ１からｔ３の範囲にわたるビデオコンテンツが、ディスプレイデバイス２０上で視覚コンテンツを表示するために指定されたエリア２１の第１の面３０中でレンダリングされ、一方、ビデオコンテンツを形成する第１の画像３が第２の面３１中でレンダリングされ、第２の画像６が第３の面３２中でレンダリングされ、第３の画像９が第４の面３３中でレンダリングされる。
【００３１】
ステップＳ１０２で、第１の面３０中でレンダリングされたビデオコンテンツが、第２の面３１中の第１の画像３がビデオコンテンツから抽出された位置に対応する時点ｔ３に達したとき、ビデオコンテンツは、代わりに第２の面３１中でレンダリングされる。したがって、ビデオコンテンツは、時間ｔ３まで第２の面３１中でレンダリングされていた第１の画像３に、取って代わることになる。図４に示した実施形態に関して前に論じたように、第１の画像３（すなわち、コンテンツが実行時間ｔ３に達しつつあるときにビデオコンテンツから抽出されたことになる画像）は、任意選択で、第１の面３０中でレンダリングされることになる。
【００３２】
第３のステップＳ１０３で、第２の面３１中でレンダリングされたビデオコンテンツが、第３の面３２中の第２の画像６がビデオコンテンツから抽出された位置に対応する時点ｔ６に達したとき、ビデオコンテンツは第３の面３２中でレンダリングされる。ビデオコンテンツは、第２の画像６が最初にビデオコンテンツから抽出された時点ｔ６まで第３の面３２中でレンダリングされていた第２の画像６に、取って代わることになる。第２の画像６は、第２の面３１中でレンダリングされることになる。
【００３３】
最後に、第４のステップＳ１０４で、第３の面３２中でレンダリングされたビデオコンテンツが、第４の面３３中の第３の画像９がビデオコンテンツから抽出された位置に対応する時点ｔ９に達したとき、ビデオコンテンツは第４の面３３中でレンダリングされる。ビデオコンテンツは、第３の画像９が最初にビデオコンテンツから抽出された時点ｔ９まで第４の面３３中でレンダリングされていた第３の画像９に、取って代わることになり、一方、第３の画像９は、第３の面３２中でレンダリングされることになる。
【００３４】
図６は、ディスプレイデバイス２０上でコンテンツをレンダリングする前述の方法を実施するための、本発明の一実施形態によるデバイス４０を示す。デバイス４０は、例えば、インターネットなどの適切なネットワーク５０を介してディスプレイデバイス２０（例えばＴＶセット）と通信するサーバの形で具体化される場合がある。
【００３５】
実際には、デバイス４０における方法は通常、１つまたは複数のマイクロプロセッサの形で具体化された処理ユニット４１によって実施され、このマイクロプロセッサは、マイクロプロセッサに関連する適切な記憶媒体４２（ランダムアクセスメモリ（ＲＡＭ）、フラッシュメモリ、またはハードディスクドライブ）にダウンロードされたコンピュータプログラム４３を実行するように構成される。処理ユニット４１は、コンピュータ実行可能命令を含む適切なコンピュータプログラム４３が記憶媒体４２にダウンロードされて処理ユニット４１によって実行されたとき、本発明の実施形態による方法を遂行するように構成される。記憶媒体４２はまた、コンピュータプログラム４３を含むコンピュータプログラム製品である場合もある。代替として、コンピュータプログラム４３は、ディジタル多用途ディスク（ＤＶＤ）やメモリスティックなど、適切なコンピュータプログラム製品を用いて記憶媒体４２に転送される場合もある。さらに他の代替として、コンピュータプログラム４３は、ネットワークを介して記憶媒体４２にダウンロードされる場合もある。処理ユニット４１は、代替として、ディジタル信号プロセッサ（ＤＳＰ）、特定用途向け集積回路（ＡＳＩＣ）、フィールドプログラマブルゲートアレイ（ＦＰＧＡ）、コンプレックスプログラマブルロジックデバイス（ＣＰＬＤ）などの形で具体化される場合もある。
【００３６】
ディスプレイデバイスがＴＶセット２０である場合、本発明によるサーバ４０は通常、レンダリングを管理し、ＴＶセット２０上で適切なビデオコンテンツを表示することになる。したがって、ＴＶセット２０上で表示されるビデオコンテンツおよび画像は、サーバ４０からリモートに管理され、一方、ＴＶセット２０は、サーバ４０によって制御されるようにコンテンツを表示する。
【００３７】
図７は本発明のさらに他の実施形態を示すが、この実施形態では、前述のような処理ユニット４１、記憶媒体４２、およびコンピュータプログラム４３を用いて、本発明によるレンダリングがディスプレイデバイス２０自体（ここではスマートフォンの形である）において管理される。この実施形態では、コンピュータプログラム４３（おそらくアプリ）が、サーバなどの中央デバイス４０からインターネットを介して転送されるものとすることができる。コンピュータプログラム４３は、処理ユニット４１上で実行されたとき、本発明によりビデオコンテンツ（おそらくサーバ４０から受け取られた）をレンダリングする方法をスマートフォン２０に実施させる。したがって、図６に示された実施形態とは対照的に、ビデオコンテンツをレンダリングする方法は、レンダリングされる実際のビデオコンテンツがサーバ４０などの中央デバイスから提供されるであろうにもかかわらず、スマートフォン２０においてローカルに実施される。
【００３８】
本発明を、少数の実施形態に関して主に上述した。しかし、当業者によってすぐに認識されるように、上に開示した実施形態以外の実施形態も、添付の特許請求の範囲によって定義される本発明の範囲内で等しく可能である。
【図１】
0006751754.tif 000002
【図２】
0006751754.tif 000003
【図３ａ】
0006751754.tif 000004
【図３ｂ】
0006751754.tif 000005
【図４】
0006751754.tif 000006
【図５】
0006751754.tif 000007
【図６】
0006751754.tif 000008
【図７】
0006751754.tif 000009